【手続補正書】
【提出日】平成18年2月13日(2006.2.13)
【手続補正１】
【補正対象書類名】明細書
【補正対象項目名】請求項１
【補正方法】変更
【補正の内容】
【請求項１】  洗浄水を噴出する洗浄ノズルと、前記洗浄水を水源から前記洗浄ノズルに導く主流水路とを備え、前記主流水路に洗剤を混入させるための洗剤供給手段及び洗剤供給流路を設けて前記洗剤供給流路の下流側端部を主流水路の途中に接続し、洗剤供給手段を操作部が押操作されることで内部に収容する洗剤を洗剤吐出口から吐出する洗剤容器と、駆動手段及び該駆動手段によって駆動される動作出力部からなる駆動部とで構成し、洗剤容器が便座装置の装置本体の取付部に着脱自在に取付けられた時に洗剤吐出口が洗剤供給流路の上流側端部に接続されると共に駆動部の動作出力部にて洗剤容器の操作部が押操作されることで洗剤が主流水路に混入され且つ動作出力部の引操作によって操作部が元の突出位置に戻される便座装置において、上記押操作時又は引操作時の操作部のストローク端でのロックを検知するロック検知手段を設けると共に前記ロック検知時に駆動手段による動作出力部の移動を停止する制御部を設けて成ることを特徴とする便座装置。
【手続補正２】
【補正対象書類名】明細書
【補正対象項目名】請求項２
【補正方法】変更
【補正の内容】
【請求項２】  洗浄水を噴出する洗浄ノズルと、前記洗浄水を水源から前記洗浄ノズルに導く主流水路とを備え、前記主流水路に洗剤を混入させるための洗剤供給手段及び洗剤供給流路を設けて前記洗剤供給流路の下流側端部を主流水路の途中に接続し、洗剤供給手段を操作部が押操作されることで内部に収容する洗剤を洗剤吐出口から吐出する洗剤容器と、駆動手段及び該駆動手段によって駆動される動作出力部からなる駆動部とで構成し、洗剤容器が便座装置の装置本体の取付部に着脱自在に取付けられた時に洗剤吐出口が洗剤供給流路の上流側端部に接続されると共に駆動部の動作出力部にて洗剤容器の操作部が押操作されることで洗剤が主流水路に混入され且つ動作出力部の引操作によって操作部が元の突出位置に戻される便座装置において、上記押操作時の操作部のストローク端でのロックを検知すると共に前記ロック検知時に駆動手段による動作出力部の移動を逆転して操作部を元の突出位置に戻し、上記引操作時の操作部のストローク端でのロックを検知するロック検知手段を設けると共に、前記ロック検知時に駆動手段による動作出力部の移動を停止する制御部を設けて成ることを特徴とする便座装置。
【手続補正３】
【補正対象書類名】明細書
【補正対象項目名】００１１
【補正方法】変更
【補正の内容】
【００１１】
【課題を解決するための手段】
上記課題を解決するために本発明に係る便座装置は、洗浄水を噴出する洗浄ノズル２と、前記洗浄水を水源Ｓから前記洗浄ノズル２に導く主流水路１とを備え、前記主流水路１に洗剤を混入させるための洗剤供給手段及び洗剤供給流路３を設けて前記洗剤供給流路３の下流側端部を主流水路１の途中に接続し、洗剤供給手段を操作部４１が押操作されることで内部に収容する洗剤を洗剤吐出口４２から吐出する洗剤容器４と、駆動手段５１及び該駆動手段５１によって駆動される動作出力部５３からなる駆動部５とで構成し、洗剤容器４が便座装置の装置本体６１の取付部に着脱自在に取付けられた時に洗剤吐出口４２が洗剤供給流路３の上流側端部に接続されると共に駆動部５の動作出力部５３にて洗剤容器４の操作部４１が押操作されることで洗剤が主流水路１に混入され且つ動作出力部５３の引操作によって操作部４１が元の突出位置に戻される便座装置において、上記押操作時又は引操作時の操作部４１のストローク端でのロックを検知するロック検知手段を設けると共に前記ロック検知時に駆動手段５１による動作出力部５３の移動を停止する制御部６５を設けて成ることを特徴とするものである。このような構成とすることで、ロック検知時に駆動手段５１を停止して動作出力部５３のそれ以上の移動を阻止し、駆動手段５１が過負荷となったり動力伝達手段５２のギアや洗剤容器４が破損するのが防止される。
【手続補正４】
【補正対象書類名】明細書
【補正対象項目名】００１２
【補正方法】変更
【補正の内容】
【００１２】
また、洗浄水を噴出する洗浄ノズル２と、前記洗浄水を水源Ｓから前記洗浄ノズル２に導く主流水路１とを備え、前記主流水路１に洗剤を混入させるための洗剤供給手段及び洗剤供給流路３を設けて前記洗剤供給流路３の下流側端部を主流水路１の途中に接続し、洗剤供給手段を操作部４１が押操作されることで内部に収容する洗剤を洗剤吐出口４２から吐出する洗剤容器４と、駆動手段及び該駆動手段５１によって駆動される動作出力部５３からなる駆動部５とで構成し、洗剤容器４が便座装置の装置本体６１の取付部に着脱自在に取付けられた時に洗剤吐出口４２が洗剤供給流路３の上流側端部に接続されると共に駆動部５の動作出力部５３にて洗剤容器４の操作部４１が押操作されることで洗剤が主流水路１に混入され且つ動作出力部５３の引操作によって操作部４１が元の突出位置に戻される便座装置において、上記押操作時の操作部４１のストローク端でのロックを検知すると共に前記ロック検知時に駆動手段５１による動作出力部５３の移動を逆転して操作部４１を元の突出位置に戻し、上記引操作時の操作部４１のストローク端でのロックを検知するロック検知手段を設けると共に前記ロック検知時に駆動手段５１による動作出力部５３の移動を停止する制御部６５を設けることを特徴とするものである。このような構成とすることで、ロック検知時に駆動手段５１を停止又は逆転して動作出力部５３のそれ以上の移動を阻止し、駆動手段５１が過負荷となったり動力伝達手段５２のギアや洗剤容器４が破損するのが防止される。
【手続補正５】
【補正対象書類名】明細書
【補正対象項目名】００５１
【補正方法】変更
【補正の内容】
【００５１】
【発明の効果】
上記のように本発明の請求項１記載の発明にあっては、洗浄水を噴出する洗浄ノズルと、前記洗浄水を水源から前記洗浄ノズルに導く主流水路とを備え、前記主流水路に洗剤を混入させるための洗剤供給手段及び洗剤供給流路を設けて前記洗剤供給流路の下流側端部を主流水路の途中に接続し、洗剤供給手段を操作部が押操作されることで内部に収容する洗剤を洗剤吐出口から吐出する洗剤容器と、駆動手段及び該駆動手段によって駆動される動作出力部からなる駆動部とで構成し、洗剤容器が便座装置の装置本体の取付部に着脱自在に取付けられた時に洗剤吐出口が洗剤供給流路の上流側端部に接続されると共に駆動部の動作出力部にて洗剤容器の操作部が押操作されることで洗剤が主流水路に混入され且つ動作出力部の引操作によって操作部が元の突出位置に戻される便座装置において、上記押操作時又は引操作時の操作部のストローク端でのロックを検知するロック検知手段を設けると共に前記ロック検知時に駆動手段による動作出力部の移動を停止する制御部を設けたので、ロック検知時に駆動手段を停止して動作出力部のそれ以上の移動を阻止し、駆動手段が過負荷となったり動力伝達手段のギアや洗剤容器が破損するのが防止される。
【手続補正６】
【補正対象書類名】明細書
【補正対象項目名】００５２
【補正方法】変更
【補正の内容】
【００５２】
また請求項２記載の発明にあっては、洗浄水を噴出する洗浄ノズルと、前記洗浄水を水源から前記洗浄ノズルに導く主流水路とを備え、前記主流水路に洗剤を混入させるための洗剤供給手段及び洗剤供給流路を設けて前記洗剤供給流路の下流側端部を主流水路の途中に接続し、洗剤供給手段を操作部が押操作されることで内部に収容する洗剤を洗剤吐出口から吐出する洗剤容器と、駆動手段及び該駆動手段によって駆動される動作出力部からなる駆動部とで構成し、洗剤容器が便座装置の装置本体の取付部に着脱自在に取付けられた時に洗剤吐出口が洗剤供給流路の上流側端部に接続されると共に駆動部の動作出力部にて洗剤容器の操作部が押操作されることで洗剤が主流水路に混入され且つ動作出力部の引操作によって操作部が元の突出位置に戻される便座装置において、上記押操作時の操作部のストローク端でのロックを検知するロック検知手段を設けると共に前記ロック検知時に駆動手段による動作出力部の移動を逆転して操作部を元の突出位置に戻し、上記引操作時の操作部のストローク端でのロックを検知すると共に前記ロック検知時に駆動手段による動作出力部の移動を停止する制御部を設けたので、ロック検知時に駆動手段を停止又は逆転して動作出力部のそれ以上の移動を阻止し、駆動手段が過負荷となったり動力伝達手段のギアや洗剤容器が破損するのが防止される。